【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
上部と下部に通水口が設けられた弁箱と、
該弁箱内に設けられた上下方向に延びる弁棒に固定された円盤状の弁体と、
前記弁棒を介して該弁体を上下方向に移動可能に支持する上部支持手段と、
前記弁箱に設けられ、前記弁体が着座する弁座と、
前記弁体に対し該弁座に着座する方向の弾性力を付勢する付勢手段と、
前記弁体の開閉を検知する開閉検知手段と、
を有するリフト式チェッキ弁において、
前記弁体の下部側に弁体の上下方向の移動をガイドするガイド部材を設け、
前記開閉検知手段が該ガイド部材に取り付けたマグネットと、該マグネットを検知する前記弁箱に設けられた磁気センサーとを備えていることを特徴とするリフト式チェッキ弁。
【請求項２】
請求項１に記載のリフト式チェッキ弁において、
前記ガイド部材が前記弁体の下部側に固定され、複数本の脚部を備えた下部ガイドであり、該下部ガイドの脚の１つに前記マグネットが設けられていることを特徴とするリフト式チェッキ弁。
【請求項３】
請求項１または２に記載のリフト式チェッキ弁において、
前記ガイド部材が前記下部ガイドとは別に設けた脚部材であり、該脚部材に前記マグネットが設けられていることを特徴とするリフト式チェッキ弁。
【請求項４】
請求項１ないし３の何れかに記載のリフト式チェッキ弁において、
前記磁気センサーはセンサー棒が弁箱の固定部における外形に対して偏心して螺合され、弁外部より前記センサー棒の螺合角度を変えることによりセンサー棒の高さ位置が調整可能であることを特徴とするリフト式チェッキ弁。
【手続補正２】
【補正対象書類名】明細書
【補正対象項目名】全文
【補正方法】変更
【補正の内容】
【発明の詳細な説明】
【発明の名称】リフト式チェッキ弁
【技術分野】
【０００１】
本発明は、送水、無送水を検知する開閉検知手段を備えたリフト式チェッキ弁に関するものである。
【背景技術】
【０００２】
上記形式のリフト式チェッキ弁としては、図４に示す構成のものが知られている。図４において、５１は弁箱、５２は弁体、５３は弁座、５４は弁棒、５５は下部ガイド、５６は上部ガイド、５７は弁スプリング、５８は緩衝傘、５９はシートパッキン、６０はバイパス弁である。このような弁において、ポンプによって加圧された水は、弁スプリング５７に抗して弁体５２を押し上げ、弁体５２と弁座５３の間の空間を通って上方へ流れる。また、弁体５２下側の水流が停止した時、弁スプリング５７の弾力により弁体５２は下降し弁を閉鎖する。
【０００３】
かかるチェッキ弁において、ポンプが作動しているにも拘らず水が送水されていないことを検知するため、弁には弁体５２の開閉状態を検知する開閉検知手段を備えている。
【０００４】
従来のリフト式チェッキ弁に設けられている開閉検知手段は金属である弁体５２に近接配置させて高周波形近接スイッチを用いていた。しかしながら、かかる構成であると、高周波形近接スイッチによる誤動作なく無送水を検知するにはそのスイッチの検出面を弁体５２に近づけなくてはならない。このため、高周波形近接スイッチは弁箱内に大きく突入して配置しなければならず、その場合のシールやスイッチ自体の強度等の問題に加えて組み付けコストが嵩む等という問題があった。
【発明の開示】
【発明が解決しようとする課題】
【０００５】
本発明は、上記した従来の問題を解消し、組み付けが容易でシール性等も良好なリフト式チェッキ弁を提供することを目的とする。
【課題を解決するための手段】
【０００６】
上記課題を解決するため、本発明は、上部と下部に通水口が設けられた弁箱と、該弁箱内に設けられた上下方向に延びる弁棒に固定された円盤状の弁体と、前記弁棒を介して該弁体を上下方向に移動可能に支持する上部支持手段と、前記弁箱に設けられ、前記弁体が着座する弁座と、前記弁体に対し該弁座に着座する方向の弾性力を付勢する付勢手段と、前記弁体の開閉を検知する開閉検知手段と、を有するリフト式チェッキ弁において、前記弁体の下部側に弁体の上下方向の移動をガイドするガイド部材を設け、前記開閉検知手段が該ガイド部材に取り付けたマグネットと、該マグネットを検知する前記弁箱に設けられた磁気センサーとを備えていることを特徴とするリフト式チェッキ弁を提案する。
【０００７】
なお、本発明は、前記ガイド部材が前記弁体の下部側に固定され、複数本の脚部を備えた下部ガイドであり、該下部ガイドの脚の１つに前記マグネットが設けられていると、効果的である。
【０００８】
さらに、本発明は、前記ガイド部材が前記下部ガイドとは別に設けた脚部材であり、該脚部材に前記マグネットが設けられていると、効果的である。
さらにまた、本発明は、前記磁気センサーはセンサー棒が弁箱の固定部における外形に対して偏心して螺合され、弁外部より前記センサー棒の螺合角度を変えることによりセンサー棒の高さ位置が調整可能であると、効果的である。
【発明の効果】
【０００９】
本発明によれば、送水、無送水を弁体の上下動ではなく、弁体に直接又は間接的に固定された脚部の動きから検知するので、センサーの弁箱内に突出させて配置することが防止でき、シール性や構造の簡素化が図れる。
【発明を実施するための最良の形態】
【００１０】
以下、本発明を好ましい実施の形態を添付図面に基づいて説明する。
図１は、本発明に係るリフト式チェッキ弁を示す断面説明図である。
図１において、符号１は鋳鉄、ステンレス鋳物等から作られたリフト式チェッキ弁の弁箱１であり、弁箱１の上部および下部には通水口２，３が形成されている。弁箱１内には、上下方向に延びる弁棒４を有し、該弁棒４の下部に円形の弁体５が取り付けられている。弁棒４の上部は、弁箱１に支持されたスプリング押さえ６に設けられたブッシュ７に上下方向に移動可能に支持されている。そして、弁体５とスプリング押さえ６の間にはウォーターハンマーを防止するためのスプリング８が挿置され、弁体５に対し後述する弁座１０に着座する方向への弾性力を付勢している。
【００１１】
弁体５の下面にはシートパッキン９が設けられ、該シートパッキン９が弁座１０に着座している。さらに、弁体５の下部側には上下方向の移動をガイドするガイド部材としてのガイド脚１１が設けられ、本実施形態のガイド脚１１は４方に張り出し、ナット１２によって弁棒４に固定されている。なお、符号１３はバイパス弁である。
【００１２】
このように構成されたチェッキ弁において、送水、無送水を検知するため、弁体５の開閉を検知する開閉検知手段を設けるものがある。本例の開閉検知手段はセンサー脚２０に取り付けたマグネット２１と、該マグネット２１により動作する磁気センサーとしての磁気近接スイッチ３０とで構成されている。
【００１３】
センサー脚２０は、全体がほぼ帯状に形成され、図２に示すように、上部の固定部２２と、固定部２２の一端からほぼ直角に折れ曲がったマグネット取り付け脚部２３とが形成されている。その固定部２２には、弁棒４のボルト４ａに嵌合する孔２２ａが形成されるが、その孔２２ａを形成する位置はトラック形状に形成され、用いる弁の大きさに応じて孔２２ａを形成する位置をＡ点とＢ点に変えることで、部品の共通化を図っている。また、マグネット取り付け脚部２３はほぼ弁の内周面に沿って位置され、そのほぼ中央には嵌め込み部が形成され、該嵌め込み部にマグネット２１が取り付けられている。なお、符号２５はセンサー脚２０の強度を得るためのリブである。また、センサー脚２０はガイド脚１１とともにナット１２によって弁棒４に固定されるが、このときセンサー脚２０は座金の用も兼ねている。
【００１４】
一方、磁気近接スイッチ３０は弁箱１のマグネット２１に対向する位置に設けられた貫通孔に取り付けられる。この貫通孔は図３に示すように、水平方向に延び、外側面からその途中までは磁気近接スイッチ３０のセンサー部が螺合されるネジ部１４ａ、ネジ部１４ａの終端から内周面までが図１において断面逆コの字状のキャップ３１が嵌め込まれる嵌め込み部１４ｂに割り振られている。
【００１５】
キャップ３１はＯリング３２を介して貫通孔の嵌め込み部１４ｂに嵌め込まれ、その先端である弁箱内面側には、図３に示すように、センサー脚２０のマグネット取り付け脚部２３の両側を規制するガイド突起３３が設けられている。すなわち、弁体５はマグネット取り付け脚部２３の両側がガイド突起３３によってガイドされることにより、弁棒４を中心に回転してしまうことがなく、マグネット２１が磁気近接スイッチ３０の検知されない位置へ移動することが防止される。なお、キャップ３１や上記センサー脚２０は磁気近接スイッチ３０の誤動作させるおそれのない非磁性体、例えば１８-８オーステナイト系ステンレス非磁性体等から作られている。
【００１６】
また、磁気近接スイッチ３０の検知棒３０ａはキャップ３１の軸線に対して上下方向に偏心して設けられている。このように構成すると、マグネット２１に対し上下方向の位置調整が外側から行うことができる。すなわち、図１に示す状態において検知棒３０ａの軸線はキャップ３１の軸線に対して下方にずれているが、磁気近接スイッチ３０を１８０度回転すると、検知棒３０ａの軸線はキャップ３１の軸線に対して上方にずれる。かかる構成により、磁気近接スイッチ３０の検知棒３０ａをマグネット２１に対して弁の外側から調整することができる。
【００１７】
以上、本発明の好ましい実施形態について説明したが、本発明は上記実施形態のみに限定されず各種改変することができるものである。
マグネット２１は、センサー脚２０に設けたが、ガイド脚１１の１つに設けてもよい。このように構成すると、センサー脚２０を不要にすることができる。ただし、マグネット２１をセンサー脚２０に設けた場合は、送水、無送水の検知が不要なユーザーに対してマグネットの装着コストが含まれずに済む。
【図面の簡単な説明】
【００１８】
【図１】本発明に係るチェッキ弁の縦断面図である。
【図２】（ａ），（ｂ）はセンサー脚の正面及び平面図である。
【図３】キャップとマグネットの関係を示す説明図である。
【図４】従来のチェッキ弁の一部を示す説明図である。
【符号の説明】
【００１９】
１    弁箱
４    弁棒
５    弁体
１０    弁座
１１    ガイド脚
２０    センサー脚
２１    マグネット
３０    磁気近接スイッチ
３１    キャップ